(57)【要約】      （修正有）【課題】継ぎ足し部分に段差が生じない中空ロッドを備えてなる地下水位測定装置を提供する。【解決手段】地下水位測定装置は、先端に掘進スクリュー部材を装着し、後端に掘進手段を有する中空ロッド１を備えてなる地下水位測定装置において、前記中空ロッド１は、中空の連結部材２を介して、複数の継ぎ足し中空ロッド１ａを夫々連結することにより構成する。さらに、前記連結部材２は、内径ｄ１が、前記継ぎ足し中空ロッド１ａの内径ｄ１と同一になるように形成されると共に、中央部外周には、雄ねじ部２１が刻設されてなり、前記各継ぎ足し中空ロッド１ａは、夫々、少なくとも一方の端部の内周に、前記連結部材２の一端部が当接可能な当接部１ｂと、前記雄ねじ部２１が螺合されてなる雌ねじ部１ｃと、を設けて構成する。【選択図】図２
0003155815.tif 000002
【実用新案登録請求の範囲】
【請求項１】
先端に掘進スクリュー部材を装着し、後端に掘進手段を有する中空ロッドを備えてなる地下水位測定装置において、
前記中空ロッドは、中空の連結部材を介して、複数の継ぎ足し中空ロッドを夫々連結することにより構成されてなり、
前記連結部材は、内径が、前記継ぎ足し中空ロッドの内径と同一になるように形成されると共に、中央部外周には、雄ねじ部が刻設されてなり、
前記各継ぎ足し中空ロッドは、夫々、少なくとも一方の端部の内周に、前記連結部材の一端部が当接可能な当接部と、前記雄ねじ部が螺合されてなる雌ねじ部と、が設けられてなることを特徴とする地下水位測定装置。
【請求項２】
前記中空ロッドは、長さ方向所定間隔置きに内外を透通する横穴を設けてなり、該横穴は、上下位置で順次交互に向きが変わるように穿設されてなることを特徴とする請求項１に記載の地下水位測定装置。
【考案の詳細な説明】
【技術分野】
【０００１】
本考案は、地盤の事前調査等として地下水の状態を判定するのに利用する地下水位測定装置に関する。より好ましくは、継ぎ足し中空ロッド同士の接続構造に関する。
【背景技術】
【０００２】
従来、戸建住宅の地盤調査には、ＪＩＳ規格に制定されたスウェーデン式サウンディング試験が行われている。このサウンディング試験は、図３に示すように、下端に掘進スクリュー部材（通称：スクリューポイント）３１が装着された鉄製またはステンレス鋼製の中実ロッド３を地盤Ｇに垂直に突き立て、この中実ロッド３の上部にクランプ３２及びハンドル３３を取り付ける。そして、クランプ３２上に複数枚の円盤状の錘３４（１０Ｋｇが２枚と２５ｋｇが３枚で計９５ｋｇ、載荷用クランプの重さ５ｋｇとの合計で１００ｋｇ）を順次載せて中実ロッド３の沈み込みを観察して記録する。しかし、全部の錘３４を載せた段階で中実ロッド３の沈み込みがない場合、ハンドル３３による回転で掘進させ、中実ロッド３表面の２５ｃｍ刻みの目盛り（図示せず）により、当該中実ロッド３が２５ｃｍ沈みこむのに要した回転回数を記録してゆく。なお、中実ロッド３は最長１ｍであるため、図３に示すように、複数の継ぎ足し中実ロッド３ａを継ぎ足して、所定深度（通常は地下１０ｍ）まで掘進させる。また、掘進スクリュー部材３１の基端側は中実ロッド３よりも径大になっている。図中の３５は掘進位置の地表に載置した底板である。
【０００３】
しかして、このサウンディング試験では、上記の試験データを解析して土質を粘性土や砂質土等に分類するが、その試験後の引き抜いた中実ロッド３表面の濡れ度合を観察し、水濡れの位置から地下水位を判定することも行われている。しかし、このような方法では、引き抜いた中実ロッド３表面の時間経過に伴う乾きや、逆に孔壁に付いた水滴や泥等の付着により、本来の地下水による水濡れ位置が判別困難であたり、誤って判定されることも多く、地下水位の測定方法として信頼性に乏しかった。
【０００４】
そこで、このようなスウェーデン式サウンディング試験と同時に地下水位も測定できるようにした地下水位測定装置が提案されている（特許文献１）。この測定装置は、前記同様のロッドに長さ方向一定間隔置き（通常２５ｃｍ間隔）に貫通孔（径方向の横穴）を設け、これら貫通孔にフェルトや脱脂綿の如き湿潤性部材を詰めたものであり、前記同様にスウェーデン式サウンディング試験を行った後、該ロッドを引き抜いて各貫通孔の湿潤性部材の水分吸収状態を調べて地下水位を判定するようにしている。
【０００５】
しかしながら、上記のスウェーデン式サウンディング試験機を利用する今までの地下水位測定装置は、大まかにしか測定できず、正確な地下水位を知ることができない上、含水比の高い地盤の場合には地下水位より上方に測定される可能性があるため、判定結果に充分な信頼性が得られず、また手間及び時間を要して作業性が悪いという難点があった。
【０００６】
そこで、上記問題点を解決すべく、図４に示すような、地下水位測定装置が提案されている。図４（ａ）は、中空ロッドの掘進貫入状態、（ｂ）は、１芯線の計測用絶縁ケーブルの挿入状態を示す。なお、図において中空ロッド４は、模式的に簡略化して図示している。
【０００７】
この地下水位測定装置を用いた測定方法は、図４（ａ）に示すように、先端に掘進スクリュー部材４２が装着され、さらに、長さ方向に沿って一定間隔置きに径方向に貫通する横穴４１を備え、これら横穴４１で中空部４０内と外部とが透通してなる鉄やステンレス鋼等の導電性材料からなる中空ロッド４を地盤Ｇの所定深さまで垂直に掘進貫入させる。なお、図４（ａ）では図示を省略しているが、この掘進貫入に際しては、該中空ロッド４の後端に掘進手段を設けて掘進貫入させている。すなわち、図３に示す中実ロッド３と同様にクランプ３２及びハンドル３３を取り付けると共に錘３４を載せ、該錘３４による荷重負荷とハンドル３３による回転操作によって掘進貫入させる。
【０００８】
そして、中空ロッド４が帯水層ＷＺまで貫入されると、地下水位ＷＬより下位になった横穴４１から地下水Ｗが該中空ロッド４の中空部４０に浸入し、貫入停止から数分程度で該中空ロッド４内の水面ＷＦが地下水位ＷＬと同レベルに達して安定化する。
【０００９】
次に、図４（ｂ）で示すように、電気抵抗の変化を検出する機能を備える計測器５に接続した各々１芯線からなる一対の計測用絶縁ケーブル６Ａ，６Ａ´の内、一方の絶縁ケーブル６Ａ´の先端を中空ロッド４の地上部分に電気接続し、先端側に電極部６１ａを有する他方の絶縁ケーブル６Ａを該中空ロッド４の中空部４０に上方から挿入してゆく。そして、この絶縁ケーブル６Ａの電極部６１ａが中空ロッド４内の水面ＷＦに達すると、地下水Ｗの導電性によって該電極部６１ａと電極を構成する中空ロッド４との間の電気抵抗が変化し、この電気抵抗の変化が計測器５にて検出されて表示される。
【００１０】
したがって、この電気抵抗の変化が検出されたときの絶縁ケーブル６Ａの挿入長さから、地下水位ＷＬを正確に判定できる。すなわち、地下水位ＷＬは、前記挿入長さより、中空ロッド４の地表面ＧＬからの突出高さを差し引いた値である。
【先行技術文献】
【特許文献】
【００１１】
【特許文献１】特開２０００−１８０２４３
【考案の概要】
【考案が解決しようとする課題】
【００１２】
図４に示す地下水位測定装置は、上記詳述したように、地下水位ＷＬを正確に判定できる点で、かなり有用なものであった。しかし、前記中空ロッド４は、図３で示した中実ロッド３と同様に継ぎ足して使用されるが、その際、その継ぎ足し部分に段差が生じ、前記絶縁ケーブル６Ａがその段差に引っかかってしまい、地下水位ＷＬを誤認するという問題が生じる場合があり、さらに有用な地下水位測定装置の開発が望まれていた。
【００１３】
そこで、本考案は、上記問題点に鑑み、継ぎ足し部分に段差が生じない中空ロッドを備えてなる地下水位測定装置を提供することを目的としている。
【課題を解決するための手段】
【００１４】
上記課題を解決するための手段を、後述する実施形態の参照符号を付して説明すると、請求項１の考案にかかる地下水位測定装置は、先端に掘進スクリュー部材４２を装着し、後端に掘進手段（クランプ３２、ハンドル３３、錘３４）を有する中空ロッド１を備えてなる地下水位測定装置において、
前記中空ロッド１は、中空の連結部材２を介して、複数の継ぎ足し中空ロッド１ａを夫々連結することにより構成されてなり、
前記連結部材２は、内径ｄ１が、前記継ぎ足し中空ロッド１ａの内径ｄ１と同一になるように形成されると共に、中央部外周には、雄ねじ部２１が刻設されてなり、
前記各継ぎ足し中空ロッド１ａは、夫々、少なくとも一方の端部の内周に、前記連結部材２の一端部が当接可能な当接部１ｂと、前記雄ねじ部２１が螺合されてなる雌ねじ部１ｃと、が設けられてなることを特徴としている。
【００１５】
請求項２の考案は、前記請求項１に記載の地下水位測定装置において、前記中空ロッド１は、長さ方向所定間隔ｄ置きに内外を透通する横穴１１を設けてなり、該横穴１１は、上下位置で順次交互に向きが変わるように穿設されてなることを特徴としている。
【考案の効果】
【００１６】
次に、本考案の効果について、図面の参照符号を付して説明する。請求項１の考案によれば、継ぎ足し中空ロッド１ａ同士を、連結部材２を介して連結するにあたって、まず、連結部材２の雄ねじ部２１を継ぎ足し中空ロッド１ａの端部の内周に設けられている雌ねじ部１ｃに螺合する。そして、連結部材２の一端部が、継ぎ足し中空ロッド１ａの当接部１ｂに当接するまで螺合する。すると、連結部材２の内径ｄ１は、継ぎ足し中空ロッド１ａの内径ｄ１と同一になるように形成されているから、連結部材２を介して継ぎ足し中空ロッド１ａ同士を連結したとしても、継ぎ足し中空ロッド１ａの継ぎ足し部分に、絶縁ケーブル６Ａ（図４参照）が引っかかってしまうような段差を、生じさせないようにすることができる。
【００１７】
したがって、上記のような継ぎ足し中空ロッド１ａ及び連結部材２で構成される中空ロッド１を図４に示す地下水位測定装置で使用すれば、絶縁ケーブル６Ａを該中空ロッド１の中空部１０に上方から挿入してゆく際、絶縁ケーブル６Ａが段差に引っかかってしまい、地下水位ＷＬを誤認するということを防止することができる。
【００１８】
請求項２の考案によれば、横穴１１は、上下位置で順次交互に向きが変わるように穿設されているから、中空ロッド１の周方向で強度の偏りが生じないように設定することが可能となる。
【図面の簡単な説明】
【００１９】
【図１】本考案の地下水位測定装置に用いる中空ロッドを示し、（ａ）は要部の側面図、（ｂ）は（ａ）のＸ−Ｘ線の断面矢視図である。
【図２】本考案の地下水位測定装置に用いる中空ロッドを示し、（ａ）は連結部の分解縦断面図、（ｂ）は連結部の縦断面図、（ｃ）は（ｂ）のＹ−Ｙ線の断面矢視図である。
【図３】スウェーデン式サウンディング試験に用いる中実ロッドの掘進貫入状態を示す縦断面図である。
【図４】中空ロッドを備える地下水位測定装置を用いた地下水位の測定方法を示し、（ａ）は、中空ロッドの掘進貫入状態、（ｂ）は、１芯線の計測用絶縁ケーブルの挿入状態、のそれぞれ模式縦断面図である。
【考案を実施するための形態】
【００２０】
以下、本考案に係る地下水位測定装置、特に中空ロッドの実施形態について、図面を参照して具体的に説明する。図１及び図２は本考案の地下水位測定装置に用いる中空ロッド１を示し、図１（ａ）は要部の側面図、（ｂ）はＸ−Ｘ線の断面矢視図、図２（ａ）は連結部の分解縦断面図、（ｂ）は連結部の縦断面図、（ｃ）はＹ−Ｙ線の断面矢視図である。
【００２１】
図１（ａ）に示すように、中空ロッド１は、その長さ方向に沿って一定間隔ｄ置きに径方向に貫通する横穴１１を備え、これら横穴１１で中空部１０内と外部とが透通すると共に、図４と同様に、先端に掘進スクリュー部材４２が装着されている。そして、その中空ロッド１の後端には、図１では図示を省略しているが、図３に示すように、クランプ３２及びハンドル３３が取り付けられ、そのクランプ３２上に複数枚の錘３４が載置されている。なお、間隔ｄは通常２５ｃｍに設定されるが、掘進スクリュー部材４２の先端から最下位の横穴１１までの距離も間隔ｄと等しくなっている。
【００２２】
横穴１１は、図１（ｂ）に示すように、上下位置で順次交互に向きが変わるように穿設されている。このように中空ロッド１に横穴１１を穿設することによって、中空ロッド１の周方向で強度の偏りが生じないように設定することが可能となる。なお、向きとしては、９０°の向きに設定するのが好ましい。
【００２３】
以上のように構成される中空ロッド１は、既述のスウェーデン式サウンディング試験に用いる中実ロッド３（図３参照）のように、複数の継ぎ足し中空ロッド１ａを連結することによって構成されている。そして、図２に示すように、継ぎ足し中空ロッド１ａ同士を連結するにあたっては、連結部材２を用いて連結されている。
【００２４】
継ぎ足し中空ロッド１ａは、図２に示すように、筒状で、図２（ａ）に示すように、内径ｄ１が、例えば６ｍｍ程度に形成されている。そして、その継ぎ足し中空ロッド１ａ端部の内周は、端面に向かうに連れて、内径ｄ２が、例えば７ｍｍ程度に拡開するラッパ形状に形成されている。さらに、このようにラッパ形状に形成される端部の内周には、連結部材２の一端部が当接される当接部１ｂが設けられ、端面側には、雌ねじ部１ｃが設けられている。
【００２５】
連結部材２は、図２に示すように、筒状で、中心孔２０を有し、中央部外周には、雄ねじ部２１が形成されている。そして、図２（ａ）に示すように、その中心孔２０の内径ｄ１は、継ぎ足し中空ロッド１ａの内径ｄ１と同一になるように形成され、例えば、６ｍｍ程度に形成されている。
【００２６】
上記のように形成された連結部材２を介して、継ぎ足し中空ロッド１ａ同士を連結するには、まず、連結部材２の雄ねじ部２１を継ぎ足し中空ロッド１ａの雌ねじ部１ｃに螺合する。そして、絶縁ケーブル６Ａ（図４参照）が引っかかるような隙間が生じないように、継ぎ足し中空ロッド１ａの当接部１ｂに連結部材２の端部が当接するまで螺合する。すると、図２（ｂ）の如く、上下の継ぎ足し中空ロッド１ａの端面同士が直接に接する形で連結されることとなる。
【００２７】
以上説明した本実施形態によれば、継ぎ足し中空ロッド１ａ同士を、連結部材２を介して連結するにあたって、まず、連結部材２の雄ねじ部２１を継ぎ足し中空ロッド１ａの端部の内周に設けられている雌ねじ部１ｃに螺合する。そして、絶縁ケーブル６Ａ（図４参照）が引っかかるような隙間が生じることがないように、連結部材２の一端部を、継ぎ足し中空ロッド１ａの当接部１ｂに当接するまで螺合する。すると、連結部材２の内径ｄ１は、継ぎ足し中空ロッド１ａの内径ｄ１と同一になるように形成されているから、連結部材２を介して継ぎ足し中空ロッド１ａ同士を連結したとしても、継ぎ足し中空ロッド１ａの継ぎ足し部分に、絶縁ケーブル６Ａ（図４参照）が引っかかってしまうような段差を、生じさせないようにすることができる。
【００２８】
したがって、上記のような継ぎ足し中空ロッド１ａ及び連結部材２で構成される中空ロッド１を図４に示す地下水位測定装置で使用すれば、絶縁ケーブル６Ａを該中空ロッド１の中空部１０に上方から挿入してゆく際、絶縁ケーブル６Ａが段差に引っかかってしまい、地下水位ＷＬを誤認するということを防止することができる。
【００２９】
なお、本実施形態においては、継ぎ足し中空ロッド１ａの一端部のみをラッパ形状に形成したものしか図示していないが、勿論、両端部をラッパ形状に形成することも可能である。
【００３０】
また、継ぎ足し中空ロッド１ａの端部は、継ぎ足し中空ロッド１ａ同士を、連結部材２を連結する際、段差が生じないようにする形状であればよいから、ラッパ形状でなくとも、種々の形状に設計変更可能である。
【００３１】
一方、本実施形態において、中空ロッド１の掘進手段として、錘３４による荷重負荷とハンドル３３による回転操作との手動方式を例示したが、本考案では、荷重負荷を油圧シリンダー等による機械的加圧で行ったり、回転操作をモーター等で機械的に行う方式も採用可能である。さらに、本考案で用いる中空ロッド１としては、ＪＩＳ規格に制定されたスウェーデン式サウンディング試験機の規定寸法に合致するものに限らず、種々の内外径を有するものを採用できる。また、ロッド先端に装着する掘進スクリュー部材についても、該サウンディング試験機のスクリューポイントとは異なる形状・構造のものも使用可能である。
【符号の説明】
【００３２】
１      中空ロッド
１ａ    継ぎ足し中空ロッド
１ｂ    当接部
１ｃ    雌ねじ部
１０    中空部
１１    横穴
２      連結部材
２１    雄ねじ部
３２    クランプ（掘進手段）
３３    ハンドル（掘進手段）
３４    錘（掘進手段）
４２    掘進スクリュー部材
６Ａ    絶縁ケーブル
ＷＬ    地下水位
ｄ１    内径
【図１】
0003155815.tif 000003
【図２】
0003155815.tif 000004
【図３】
0003155815.tif 000005
【図４】
0003155815.tif 000006